(57)【要約】【課題】  部品の共通化による製造コストの低減を図る。【解決手段】  一方に開口され左右方向における中央線Ｍを基準として対称な形状に形成された配置用凹部６を有するランプハウジング２と、配置用凹部を覆う状態でランプハウジングに取り付けられるカバー３と、左右方向における中央線を基準として非対称な形状に形成されると共に光源３２、３３を有し配置用凹部に配置されるランプ構造体１３と、配置用凹部に配置され車体１００の左右方向においてランプ構造体の外側に隣接して位置される第１の配置体３４と、配置用凹部に配置され車体の左右方向においてランプ構造体の内側に隣接して位置される第２の配置体４３とを備え、ランプ構造体と第１の配置体と第２の配置体はそれぞれ左側用と右側用が同じ大きさで左右対称な形状に形成された。【選択図】図３
2015082365.tif 000002
【特許請求の範囲】
【請求項１】
車体の左右両側部にそれぞれ配置される左側用と右側用が設けられた車輌用灯具であって、
一方に開口され左右方向における中央線を基準として対称な形状に形成された配置用凹部を有するランプハウジングと、
前記配置用凹部を覆う状態で前記ランプハウジングに取り付けられるカバーと、
左右方向における中央線を基準として非対称な形状に形成されると共に光源を有し前記配置用凹部に配置されるランプ構造体と、
前記配置用凹部に配置され前記車体の左右方向において前記ランプ構造体の外側に隣接して位置される第１の配置体と、
前記配置用凹部に配置され前記車体の左右方向において前記ランプ構造体の内側に隣接して位置される第２の配置体とを備え、
前記ランプ構造体と前記第１の配置体と前記第２の配置体はそれぞれ左側用と右側用が同じ大きさで左右対称な形状に形成された
車輌用灯具。
【請求項２】
前記第１の配置体と前記第２の配置体の少なくとも一方が光学機能を有する
請求項１に記載の車輌用灯具。
【請求項３】
前記光学機能が光を外部へ向けて照射する照射機能とされた
請求項２に記載の車輌用灯具。
【請求項４】
前記光学機能が外部の光を反射する反射機能とされた
請求項２に記載の車輌用灯具。
【請求項５】
車体の左右両側部にそれぞれ配置される左側用と右側用が設けられた車輌用灯具であって、
一方に開口され上下方向における中央線を基準として対称な形状に形成された配置用凹部を有するランプハウジングと、
前記配置用凹部を覆う状態で前記ランプハウジングに取り付けられるカバーと、
上下方向における中央線を基準として非対称な形状に形成されると共に光源を有し前記配置用凹部に配置されるランプ構造体と、
前記配置用凹部に配置され前記ランプ構造体の上方又は下方のうちの一方に隣接して位置される第１の配置体と、
前記配置用凹部に配置され前記ランプ構造体の上方又は下方のうちの他方に隣接して位置される第２の配置体とを備え、
前記ランプ構造体と前記第１の配置体と前記第２の配置体はそれぞれ左側用と右側用が同じ大きさで左右対称な形状に形成された
車輌用灯具。
【発明の詳細な説明】
【技術分野】
【０００１】
本発明は、左側用と右側用が設けられランプハウジングの配置用凹部にランプ構造体が配置される車輌用灯具についての技術分野に関する。
【先行技術文献】
【特許文献】
【０００２】
【特許文献１】特開平６−２６２９７７号公報
【背景技術】
【０００３】
車輌用灯具には、例えば、カバーとランプハウジングによって構成された灯具外筐の内部に、光源を有するランプユニットが配置されたものがある（例えば、特許文献１参照）。
【０００４】
特許文献１に記載された車輌用灯具は、車体の後端部における左右両側部にそれぞれ配置され、一方に開口されたランプハウジングとランプハウジングを覆うカバーとによって灯具外筐が構成され灯具外筐の内部に複数のランプユニットが左右に並んで配置されている。
【発明の概要】
【発明が解決しようとする課題】
【０００５】
ところで、特許文献１に記載されたような左右両側部にそれぞれ配置される車輌用灯具にあっては、車体の左側部と右側部のそれぞれの形状に応じて左側用と右側用の２種類が必要とされる。
【０００６】
従って、車輌用灯具を構成する部品であるランプハウジングやカバーやランプユニット等もそれぞれ形状が異なる左側用と右側用の２種類の製造が必要になり、その分、製造コストが高くなってしまう。
【０００７】
そこで、本発明車輌用灯具は、上記した問題点を克服し、部品の共通化による製造コストの低減を図ることを目的とする。
【課題を解決するための手段】
【０００８】
第１に、本発明に係る車輌用灯具は、車体の左右両側部にそれぞれ配置される左側用と右側用が設けられた車輌用灯具であって、一方に開口され左右方向における中央線を基準として対称な形状に形成された配置用凹部を有するランプハウジングと、前記配置用凹部を覆う状態で前記ランプハウジングに取り付けられるカバーと、左右方向における中央線を基準として非対称な形状に形成されると共に光源を有し前記配置用凹部に配置されるランプ構造体と、前記配置用凹部に配置され前記車体の左右方向において前記ランプ構造体の外側に隣接して位置される第１の配置体と、前記配置用凹部に配置され前記車体の左右方向において前記ランプ構造体の内側に隣接して位置される第２の配置体とを備え、前記ランプ構造体と前記第１の配置体と前記第２の配置体はそれぞれ左側用と右側用が同じ大きさで左右対称な形状に形成されたものである。
【０００９】
これにより、左右対称な形状に形成された配置用凹部に、左側用と右側用においてそれぞれ同じ大きさで左右対称な形状に形成されたランプ構造体と第１の配置体と第２の配置体が配置される。
【００１０】
第２に、上記した本発明に係る車輌用灯具においては、前記第１の配置体と前記第２の配置体の少なくとも一方が光学機能を有することが望ましい。
【００１１】
これにより、ランプ構造体に隣接して配置される第１の配置体又は第２の配置体の少なくとも一方が光学機能を有する構成にされる。
【００１２】
第３に、上記した本発明に係る車輌用灯具においては、前記光学機能が光を外部へ向けて照射する照射機能とされることが望ましい。
【００１３】
これにより、ランプ構造体の照射機能に加えて第１の配置体又は第２の配置体の少なくとも一方の照射機能が付加される。
【００１４】
第４に、上記した本発明に係る車輌用灯具においては、前記光学機能が外部の光を反射する反射機能とされることが望ましい。
【００１５】
これにより、ランプ構造体の照射機能に加えて第１の配置体又は第２の配置体の少なくとも一方の反射機能が付加される。
【００１６】
別の本発明に係る車輌用灯具は、車体の左右両側部にそれぞれ配置される左側用と右側用が設けられた車輌用灯具であって、一方に開口され上下方向における中央線を基準として対称な形状に形成された配置用凹部を有するランプハウジングと、前記配置用凹部を覆う状態で前記ランプハウジングに取り付けられるカバーと、上下方向における中央線を基準として非対称な形状に形成されると共に光源を有し前記配置用凹部に配置されるランプ構造体と、前記配置用凹部に配置され前記ランプ構造体の上方又は下方のうちの一方に隣接して位置される第１の配置体と、前記配置用凹部に配置され前記ランプ構造体の上方又は下方のうちの他方に隣接して位置される第２の配置体とを備え、前記ランプ構造体と前記第１の配置体と前記第２の配置体はそれぞれ左側用と右側用が同じ大きさで左右対称な形状に形成されたものである。
【００１７】
これにより、上下対称な形状に形成された配置用凹部に、左側用と右側用においてそれぞれ同じ大きさで左右対称な形状に形成されたランプ構造体と第１の配置体と第２の配置体が配置される。
【発明の効果】
【００１８】
本発明によれば、左右対称又は上下対称な形状に形成された配置用凹部に、左側用と右側用においてそれぞれ同じ大きさで左右対称な形状に形成されたランプ構造体と第１の配置体と第２の配置体が配置されるため、ランプハウジングとカバーを左側用と右側用において共通化することができ、部品の共通化による製造コストの低減を図ることができる。
【図面の簡単な説明】
【００１９】
【図１】図２乃至図９と共に本発明の実施の形態を示すものであり、本図は、右側用の車輌用灯具と左側用の車輌用灯具が車体に配置された例を示す背面図である。
【図２】車輌用灯具の分解斜視図である。
【図３】カバー及びレンズを省略した状態で示す車輌用灯具の背面図である。
【図４】ランプハウジングの背面図である。
【図５】カバー及びレンズを取り付けた状態で示す図３のＶ−Ｖ線に沿う断面図である。
【図６】カバー及びレンズを取り付けた状態で示す図３のＶＩ−ＶＩ線に沿う断面図である。
【図７】カバー及びレンズを取り付けた状態で示す図３のＶＩＩ−ＶＩＩ線に沿う断面図である。
【図８】カバー及びレンズを取り付けた状態で示す図３のＶＩＩＩ−ＶＩＩＩ線に沿う断面図である。
【図９】カバー及びレンズを省略した状態で示す左側用の車輌用灯具を示す背面図である。
【発明を実施するための形態】
【００２０】
以下に、本発明車輌用灯具を実施するための形態について添付図面を参照して説明する。
【００２１】
以下に示した実施の形態は、本発明車輌用灯具を、例えば、トラックのサイズに応じて種類の異なる複数の照射ランプとして機能するリアコンビネーションランプに適用したものである。尚、本発明の適用範囲はリアコンビネーションランプに限られることはなく、クリアランスランプ、テールランプ、ターンシグナルランプ、ストップランプ、デイタイムランニングランプ、コーナーリングランプ、ハザードランプ、ポジションランプ、バックランプ、フォグランプ等の単一の照射機能を有する車輌用灯具又はこれらの複数のランプとしての照射機能を有するコンビネーションランプである各種の車輌用灯具に広く適用することができる。
【００２２】
車輌用灯具１、１は、例えば、それぞれ車体１００の後端部における左右両側部に、車体１００の外郭から突出した状態で取り付けられて配置されており、左側用の車輌用灯具１Ｌ又は右側用の車輌用灯具１Ｒとされている（図１参照）。
【００２３】
車輌用灯具１は、図２及び図３に示すように、ランプハウジング２とカバー３を備え、ランプハウジング２とカバー３によって灯具外筐４が構成され、灯具外筐４の内部空間が灯室５として形成されている。ランプハウジング２とカバー３は左側用の車輌用灯具１Ｌと右側用の車輌用灯具１Ｒにおいて共通化され、同一のものが用いられている。
【００２４】
以下には、先ず、右側用の車輌用灯具１（１Ｒ）について説明する。
【００２５】
ランプハウジング２は左右方向における中央線Ｍを基準として左右対称な横長の形状に形成されている（図２及び図４参照）。ランプハウジング２は後方に開口され左右方向における中央線Ｍを基準として左右対称な形状に形成された配置用凹部６を有し、配置用凹部６の開口６ａが横長の矩形状に形成されている。配置用凹部６はランプハウジング２の上端部を除く部分に形成されている。
【００２６】
ランプハウジング２には配置用凹部６の左右両端部にそれぞれ他の部分より後方へ突出された側方配置部７、８が設けられている。側方配置部７は側方配置部８より右方に位置されている。側方配置部７と側方配置部８は左右対称の形状に形成されている。側方配置部７と側方配置部８にはそれぞれ上下に離隔してネジ挿通孔を有する取付部７ａ、７ａと取付部８ａ、８ａが設けられている。
【００２７】
ランプハウジング２の上端部は車体１００に取り付けられる被取付部９として設けられている。
【００２８】
ランプハウジング２の左右両側面にはそれぞれ円形状に形成されたサイド結合部２ａ、２ａが設けられている。車体１００の左右方向において外側（右側）に位置するサイド結合部２ａには図示しないサイドリフレクター用のレンズが取り付けられる。サイド結合部２ａにサイドリフレクター用のレンズが取り付けられることにより、外部から入射された光を再帰反射して標識として機能する側部のリフレックスリフレクターが構成される。
【００２９】
ランプハウジング２の前面部１０には側方配置部７と側方配置部８の間に、ネジ挿通孔を有し後方へ突出された円筒状の部分を有するベース取付部１０ａ、１０ａ、・・・が上下左右に離隔して設けられている。ランプハウジング２の前面部１０にはコード挿通孔１０ｂが形成されている。
【００３０】
ランプハウジング２の配置用凹部６には取付部材１１が配置されて前面部１０に取り付けられる（図２、図５及び図６参照）。
【００３１】
取付部材１１は横長の略矩形の板状に形成されている。取付部材１１には後面側にそれぞれネジ挿通孔を有する締結部１１ａ、１１ａ、・・・が上下左右に離隔して設けられている。取付部材１１には前面側にそれぞれネジ締結孔を有し前方へ突出された被取付突部１１ｂ、１１ｂ、・・・が上下左右に離隔して設けられている。
【００３２】
取付部材１１には前面側に制御回路基板１２が、例えば、ネジ止めによって取り付けられる。制御回路基板１２は後述する各光源の点消灯制御を行う制御回路を有している。制御回路基板１２は取付部材１１より一回り小さい横長の矩形状に形成され、取付部材１１の外周部を除く領域に対向した状態で取り付けられている。
【００３３】
取付部材１１には後面側にランプ構造体１３が、例えば、ネジ止めによって取り付けられる（図２、図５及び図７参照）。ランプ構造体１３は複数のランプユニット１４、１４、・・・、例えば、三つのランプユニット１４、１４、１４によって構成され、ランプユニット１４、１４、１４は左右方向において並んで隣接して配置されている。ランプ構造体１３は左右方向における中央線Ｍを基準として非対称な形状に形成されている（図３参照）。尚、ランプユニット１４の数は任意であり、一つのランプユニット１４、二つのランプユニット１４、１４又は四つ以上のランプユニット１４、１４、・・・によってランプ構造体１３が構成されていてもよい。
【００３４】
ランプユニット１４は反射ベース１５と第１の光源用基板１６と第２の光源用基板１７とインナーレンズ１８とアウターレンズ１９とアッパーレンズ２０とを有している（図２参照）。
【００３５】
反射ベース１５は、図２、図６、図７及び図８に示すように、略前後方向を向き略平行四辺形状に形成された反射面部２１と反射面部２１の上端部から後方へ突出された上面部２２と反射面部２１の下端部から後方へ突出された下面部２３と反射面部２１の左右両側部からそれぞれ後方へ突出された側面部２４、２４と上面部２２の後端部に連続して設けられた上側反射部２５と反射面部２１の一部から後方へ突出された仕切部２６とを有している。
【００３６】
反射面部２１は仕切部２６によって二つの部分に仕切られており、第１の反射制御部２７と第１の反射制御部２７の下方及び側方に位置された第２の反射制御部２８とから成る。第１の反射制御部２７には上下左右に離隔して後方に開口された凹状の第１のリフレクター２９、２９、・・・が設けられ、第１のリフレクター２９、２９、・・・の前端部にはそれぞれ前後に貫通された光源配置孔２９ａ、２９ａ、・・・が形成されている。第２の反射制御部２８は横倒しの略Ｌ字状に形成され、連続して位置され後方に開口された凹状の第２のリフレクター３０、３０、・・・を有している。第２のリフレクター３０、３０、・・・の前端部にはそれぞれ前後に貫通された光源配置孔３０ａ、３０ａ、・・・が形成されている。
【００３７】
反射面部２１にはそれぞれネジ締結孔を有し前方へ突出されたネジ止めボス２１ａ、２１ａが上下に離隔して設けられている。
【００３８】
下面部２３には左右に並ぶ多数の拡散ステップ２３ａ、２３ａ、・・・が形成されている。
【００３９】
側面部２４、２４は上下方向に対して同じ方向に稍傾斜されている。
【００４０】
上側反射部２５には左右に並び後方に開口された凹状のリフレクター３１、３１、・・・が設けられ、リフレクター３１、３１、・・・の前端部にはそれぞれ前後に貫通された光源配置孔３１ａ、３１ａ、・・・が形成されている。
【００４１】
仕切部２６は横倒しの略Ｌ字状に形成され、両端部がそれぞれ上面部２２の右端寄りの部分と左側の側面部２４の下端寄りの部分とに連続されている。
【００４２】
第１の光源用基板１６は反射ベース１５における反射面部２１の前面側に、例えば、ネジ止めによって取り付けられる。第１の光源用基板１６は反射面部２１に対向する略平行四辺形状に形成され、ボス挿通孔１６ａ、１６ａを有している。第１の光源用基板１６が反射ベース１５に取り付けられた状態においては、ボス挿通孔１６ａ、１６ａにそれぞれネジ止めボス２１ａ、２１ａが挿通される。
【００４３】
第１の光源用基板１６の後面には上下左右に離隔して第１の光源３２、３２、・・・が搭載されている。第１の光源３２、３２、・・・としては、例えば、発光ダイオード（ＬＥＤ）が用いられており、第１の光源３２、３２、・・・からはそれぞれ後方へ向けて光が出射される。
【００４４】
第１の光源３２、３２、・・・は、第１の光源用基板１６が反射面部２１に取り付けられた状態において、それぞれ反射面部２１の光源配置孔２９ａ、２９ａ、・・・又は光源配置孔３０ａ、３０ａ、・・・に配置される。従って、第１の光源３２、３２、・・・から出射された光の一部はそれぞれ第１の反射制御部２７の第１のリフレクター２９、２９、・・・又は第２の反射制御部２８の第２のリフレクター３０、３０、・・・で反射されて後方へ向かう。
【００４５】
第２の光源用基板１７は反射ベース１５における上側反射部２５の前面側に、例えば、ネジ止めによって取り付けられる。第２の光源用基板１７は上側反射部２５に対向する横長の略矩形状に形成されている。
【００４６】
第２の光源用基板１７の後面には左右に離隔して第２の光源３３、３３、・・・が搭載されている。第２の光源３３、３３、・・・としては、例えば、発光ダイオード（ＬＥＤ）が用いられており、第２の光源３３、３３、・・・からはそれぞれ後方へ向けて光が出射される。
【００４７】
第２の光源３３、３３、・・・は、第２の光源用基板１７が上側反射部２５に取り付けられた状態において、それぞれ上側反射部２５の光源配置孔３１ａ、３１ａ、・・・に配置される。従って、第２の光源３３、３３、・・・から出射された光の一部はそれぞれリフレクター３１、３１、・・・で反射されて後方へ向かう。
【００４８】
インナーレンズ１８は、例えば、無色透明な材料によって第２の反射制御部２８の形状に応じた横倒しの略Ｌ字状にされ、前方に開口する形状に形成されている。インナーレンズ１８は反射面部２１の後面側に取り付けられ、インナーレンズ１８によって第２の反射制御部２８が後方から覆われる。
【００４９】
アウターレンズ１９は、例えば、有色透明な材料によってインナーレンズ１８より一回り大きい横倒しの略Ｌ字状にされ、前方に開口する形状に形成されている。アウターレンズ１９は反射面部２１の後面側に取り付けられ、アウターレンズ１９によってインナーレンズ１８が後方から覆われる。
【００５０】
従って、第１の光源３２、３２、・・・から出射された光はインナーレンズ１８とアウターレンズ１９を順に透過されて後方へ向かう。
【００５１】
アッパーレンズ２０は、例えば、有色透明な材料によって横長の形状にされ、前方に開口する形状に形成されている。アッパーレンズ２０は上側反射部２５の後面側に取り付けられ、アッパーレンズ２０によって上側反射部２５が後方から覆われる。
【００５２】
従って、第２の光源３３、３３、・・・から出射された光はアッパーレンズ２０を透過されて後方へ向かう。
【００５３】
上記のように構成されたランプユニット１４は、取付部材１１の締結部１１ａ、１１ａをそれぞれ前方から挿通された取付ネジ５０、５０が反射ベース１５のネジ止めボス２１ａ、２１ａにそれぞれ螺合されることにより取付部材１１に取り付けられる。ランプユニット１４、１４、１４が取付部材１１に取り付けられた状態においては、隣り合うランプユニット１４、１４、１４の側面部２４、２４、・・・が左右方向において対向して位置され、ランプユニット１４、１４、１４が隣接される。
【００５４】
ランプユニット１４、１４、１４が取り付けられた取付部材１１は、ランプハウジング２のベース取付部１０ａ、１０ａ、・・・をそれぞれ前方から挿通されたネジ部材６０、６０、・・・が取付部材１１の被取付突部１１ｂ、１１ｂ、・・・にそれぞれ螺合されることによりランプハウジング２に取り付けられる。取付部材１１がランプハウジング２に取り付けられることにより、取付部材１１とランプユニット１４、１４、１４が配置用凹部６において側方配置部７と側方配置部８の間に配置される。
【００５５】
制御回路基板１２には図示しない接続コードが接続されており、接続コードはランプハウジング２の前面部１０に形成されたコード挿通孔１０ｂを挿通されて図示しない電源回路に接続される。
【００５６】
ランプハウジング２において右側に位置された側方配置部７には第１の配置体３４が取り付けられる（図２及び図３参照）。第１の配置体３４は反射体３５と第１のレンズ３６と第２のレンズ３７と第３の光源用基板３８を有している。
【００５７】
反射体３５は側方配置部７に対向する縦長の形状にされ、下端部を除き上方へ行くに従って左右方向における幅が小さくなる形状に形成されている。反射体３５は、右側の側縁が上下方向に延び、左側の側縁が下端部を除き上方へ行くに従って右方へ変位するように傾斜され反射ベース１５の右側の側面部２４に対向する形状に形成されている。
【００５８】
反射体３５は外側に第１の反射部３９が設けられ内側に第２の反射部４０が設けられている。第２の反射部４０には上下に連続して位置され後方に開口された凹状の反射面４１、４１、・・・が設けられている。反射面４１、４１、・・・の前端部にはそれぞれ前後に貫通された光源配置孔４１ａ、４１ａ、・・・が形成されている。
【００５９】
反射体３５にはそれぞれネジ締結孔を有し前方へ突出されたネジ止め突部３５ａ、３５ａが上下に離隔して設けられている。
【００６０】
第１のレンズ３６は縦長の形状に形成され、反射体３５に第１の反射部３９を後方から覆う状態で取り付けられる。反射体３５に第１のレンズ３６が取り付けられることにより、外部から入射された光を再帰反射して標識として機能する後部のリフレックスリフレクターが構成される。
【００６１】
第２のレンズ３７は縦長の略三角形状に形成され、反射体３５に第２の反射部４０を後方から覆う状態で取り付けられる。
【００６２】
第３の光源用基板３８は反射体３５の前面側に、例えば、ネジ止めによって取り付けられる。第３の光源用基板３８の後面には上下に離隔して第３の光源４２、４２、・・・が搭載されている。第３の光源４２、４２、・・・としては、例えば、発光ダイオード（ＬＥＤ）が用いられており、第３の光源４２、４２、・・・からはそれぞれ後方へ向けて光が出射される。
【００６３】
第３の光源４２、４２、・・・は、第３の光源用基板３８が反射体３５に取り付けられた状態において、それぞれ第２の反射部４０の光源配置孔４１ａ、４１ａ、・・・に配置される。従って、第３の光源４２、４２、・・・から出射された光の一部は反射面４１、４１、・・・で反射されて後方へ向かい、第２のレンズ３７を透過されてバックアップランプとしての光が後方へ照射される。
【００６４】
第１の配置体３４は、ランプハウジング２の側方配置部７に設けられた取付部７ａ、７ａを前方から挿通された図示しない取付用ネジが反射体３５のネジ止め突部３５ａ、３５ａに螺合されることによりランプハウジング２に取り付けられて配置用凹部６に配置される。第１の配置体３４が配置用凹部６に配置された状態においては、反射体３５の左側縁が最も右方に位置されたランプユニット１４における反射ベース１５の右側の側面部２４に対向し、ランプユニット１４と第１の配置体３４が左右方向において隣接して位置される。
【００６５】
ランプハウジング２において左側に位置された側方配置部８には第２の配置体４３が取り付けられる。
【００６６】
第２の配置体４３は、例えば、灯具外筐４の内部に配置された構造の一部を遮蔽するエクステンションとして用いられている。第２の配置体４３は側方配置部８に対向する縦長の形状にされ、上端部を除き下方へ行くに従って左右方向における幅が小さくなる形状に形成されている。第２の配置体４３は、左側の側縁が上下方向に延び、右側の側縁が上端部を除き下方へ行くに従って右方へ変位するように傾斜され反射ベース１５の左側の側面部２４に対向する形状に形成されている。第２の配置体４３は第１の配置体３４に対して上下対称な形状に形成されている。
【００６７】
第２の配置体４３にはそれぞれネジ締結孔を有し前方へ突出されたネジ止め部４３ａ、４３ａが上下に離隔して設けられている。
【００６８】
第２の配置体４３は、ランプハウジング２の側方配置部８に設けられた取付部８ａ、８ａを前方から挿通された図示しない取付用ネジがネジ止め部４３ａ、４３ａに螺合されることによりランプハウジング２に取り付けられて配置用凹部６に配置される。第２の配置体４３が配置用凹部６に配置された状態においては、第２の配置体４３の右側縁が最も左側に位置されたランプユニット１４における反射ベース１５の左側の側面部２４に対向し、ランプユニット１４と第２の配置体４３が左右方向において隣接して位置される。
【００６９】
ランプユニット１４、１４、１４の第１の光源用基板１６、１６、１６と第２の光源用基板１７、１７、１７と第３の光源用基板３８はそれぞれ制御回路基板１２に図示しない接続ケーブルを介して接続される。従って、電源回路から制御回路基板１２に供給された駆動電流が制御回路基板１２によって制御されて第１の光源用基板１６、１６、１６に搭載された第１の光源３２、３２、・・・、第２の光源用基板１７、１７、１７に搭載された第２の光源３３、３３、・・・及び第３の光源用基板３８に搭載された第３の光源４２、４２、・・・にそれぞれ供給される。
【００７０】
上記のようにランプハウジング２の配置用凹部６にランプユニット１４、１４、１４によって構成されたランプ構造体１３と第１の配置体３４と第２の配置体４３が配置された状態において、カバー３が配置用凹部６を覆う状態でランプハウジング２の後端部に後方から取り付けられる。
【００７１】
上記のように構成された車輌用灯具１において、ストップランプとして機能するときには、第１の光源用基板１６、１６、１６に搭載された全ての第１の光源３２、３２、・・・から光が出射され、テールランプとして機能するときには、第１の光源用基板１６、１６、１６に搭載された第１の光源３２、３２、・・・のうち第２の反射制御部２８に対応して位置されている第１の光源３２、３２、・・・から光が出射される。
【００７２】
尚、このとき第１の光源３２、３２、・・・から出射された光の一部が反射ベース１５の下面部２３に入射され、入射された光が拡散ステップ２３ａ、２３ａ、・・・によって拡散されて帯状の光が視認可能とされる。
【００７３】
また、ターンシグナルランプとして機能するときには、第２の光源用基板１７、１７、１７に搭載された全ての第２の光源３３、３３、・・・から光が点滅状態で出射される。
【００７４】
次に、左側用の車輌用灯具１Ｌについて説明する（図９参照）。
【００７５】
尚、左側用の車輌用灯具１Ｌと右側用の車輌用灯具１Ｒは、上記したように、ランプハウジング２とカバー３が共通化され、他の部材の大きさが同じで形状が左右対称にされていることのみが相違するため、左側用の車輌用灯具の説明は簡単に行う。
【００７６】
車輌用灯具１Ｌは、ランプハウジング２の左側、即ち、車体１００の左右方向において外側に位置するサイド結合部２ａにサイドリフレクター用のレンズが取り付けられる。
【００７７】
車輌用灯具１Ｌにあっては、取付部材１１、制御回路基板１２及びランプ構造体１３がそれぞれ右側用の車輌用灯具１Ｒにおける取付部材１１、制御回路基板１２及びランプ構造体１３に対してそれぞれ左右対称の形状に形成されている。
【００７８】
また、車輌用灯具１Ｌにあっては、第１の配置体３４と第２の配置体４３もそれぞれ右側用の車輌用灯具１Ｒにおける第１の配置体３４と第２の配置体４３に対してそれぞれ左右対称の形状に形成されている。第１の配置体３４は車体１００の左右方向において外側（左側）に位置され側方配置部８に取り付けられ、第２の配置体４３は車体１００の左右方向において内側（右側）に位置され側方配置部７に取り付けられている。
【００７９】
従って、車輌用灯具１Ｌにあっては、左側から順に第１の配置体３４とランプ構造体１３と第２の配置体４３が隣接して配置されている。
【００８０】
以上に記載した通り、ランプ構造体１３と第１の配置体３４と第２の配置体４３は左側用の車輌用灯具１Ｌと右側用の車輌用灯具１Ｒにおいて同じ大きさで左右対称な形状に形成されているため、車輌用灯具１Ｌと車輌用灯具１Ｒにおいてランプハウジング２とカバー３を共通化することができ、部品の共通化による製造コストの低減を図ることができる。
【００８１】
また、ランプ構造体１３に隣接して配置される第１の配置体３４が光学機能を有する構成にされているため、車輌用灯具１における機能性の向上を図ることができる。
【００８２】
さらに、第１の配置体３４の光学機能の一つがバックアップランプとしての照射機能とされているため、ランプ構造体１３の照射機能に加えて第１の配置体３４の照射機能が付加され、車輌用灯具１の高い機能性を確保することができる。
【００８３】
さらにまた、第１の配置体３４の光学機能の一つがリフレックスリフレクターとしての反射機能とされているため、ランプ構造体１３の照射機能に加えて第１の配置体３４の反射機能が付加され、車輌用灯具１の一層高い機能性を確保することができる。
【００８４】
尚、上記には、第１の配置体３４が光学機能を有する例を示したが、逆に、第２の配置体４３が光学機能を有するように構成されていてもよく、また、第１の配置体３４と第２の配置体４３の双方が光学機能を有するように構成されていてもよい。
【００８５】
また、上記には、左右対称な形状に形成されたランプハウジング２の配置用凹部６に、左側用と右側用においてそれぞれ同じ大きさで左右対称な形状に形成されたランプ構造体１３と第１の配置体３４と第２の配置体４３が配置される構成を例として示したが、上下対称な形状に形成されたランプハウジング２の配置用凹部６に、左側用と右側用においてそれぞれ同じ大きさで左右対称な形状に形成されたランプ構造体１３と第１の配置体３４と第２の配置体４３が配置される構成にすることも可能である。
【００８６】
この場合には、ランプ構造体１３が上下方向における中央線を基準として非対称な形状にされ、ランプ構造体１３の上方又は下方のうちの一方に第１の配置体３４が隣接して位置され、ランプ構造体１３の上方又は下方のうちの他方に第２の配置体４３が隣接して位置される。
【００８７】
このように上下対称な形状に形成されたランプハウジング２の配置用凹部６に、左側用と右側用においてそれぞれ同じ大きさで左右対称な形状に形成されたランプ構造体１３と第１の配置体３４と第２の配置体４３が配置される構成にすることによっても、左側用と右側用においてランプハウジング２とカバー３を共通化することができ、部品の共通化による製造コストの低減を図ることができる。
【符号の説明】
【００８８】
１…車輌用灯具、１Ｌ…車輌用灯具、１Ｒ…車輌用灯具、２…ランプハウジング、３…カバー、６…配置用凹部、１３…ランプ構造体、３２…第１の光源、３３…第２の光源、３４…第１の配置体、４３…第２の配置体、１００…車体
【図１】
2015082365.tif 000003
【図２】
2015082365.tif 000004
【図３】
2015082365.tif 000005
【図４】
2015082365.tif 000006
【図５】
2015082365.tif 000007
【図６】
2015082365.tif 000008
【図７】
2015082365.tif 000009
【図８】
2015082365.tif 000010
【図９】
2015082365.tif 000011